(57)【要約】【課題】  ある直線に対して、所定角度で延びる直線の長さを簡単に計測することができるスケールを提供する。【解決手段】  本発明のスケール２０は、第１直線２１の長さを計測するように配置して、第１直線２１の一端から、第１直線２１に対して少なくとも１つの所定角度αで延びる第２直線２２の、第１直線２１の他端から第１直線２１に垂直に延びる直線と交差する点までの長さの計測を可能にする目盛り２３を備える。【選択図】  図２
2006292573.tif 000002
【特許請求の範囲】
【請求項１】
第１直線の長さを計測するように配置して、前記第１直線の一端から該第１直線に対して少なくとも１つの所定角度で延びる第２直線の、前記第１直線の他端から該第１直線に垂直に延びる直線と交差する点までの長さの計測を可能にする目盛りを備えた、スケール。
【請求項２】
前記スケールは、該スケールの長さ方向に対して垂直に延び、該スケールの長さ方向にスライド可能なガイド定規を備える、請求項１に記載のスケール。
【請求項３】
前記スケールは、同一直線上にない第１の管および第２の管のそれぞれに当接させるための、反対方向に延びる２つの前記ガイド定規を備える、請求項２に記載のスケール。
【請求項４】
前記第１の管および前記第２の管は、鋼管であり、前記スケールは、一端を固定するための磁石を備える、請求項３に記載のスケール。
【請求項５】
前記スケールは、同一直線上にない第１の管と第２の管とを、曲がり部の長さが径によって決められた２つのＬ字形連結部材と連結用パイプとを用いて前記所定角度で斜めに連通させる場合の、前記連結用パイプの長さを計測するために用いられるものであり、前記第１の管および前記第２の管のいずれか一方の所定位置に合わせられる、２つの前記曲がり部の長さに対応して前記目盛りから離間された基準線を備える、請求項１〜４のいずれか１項に記載のスケール。
【請求項６】
前記スケールは、複数の前記径に対応する複数の前記基準線を備える、請求項５に記載のスケール。
【請求項７】
前記スケールは、平面スケールまたは多面スケールであり、各面に、１つの前記径に対応する基準線と前記目盛りとを備える、請求項６に記載のスケール。
【請求項８】
前記スケールは、円筒形または楕円筒形スケールであり、周囲に、前記複数の径に対応する基準線と、複数の前記目盛りとを備える、請求項６に記載のスケール。
【請求項９】
前記スケールは、前記径に応じた複数の定規から構成され、前記径に応じて前記定規の幅が異なることを特徴とする、請求項６に記載のスケール。
【請求項１０】
前記スケールは、同一直線上にない第１の管と第２の管とを、曲がり部の長さが径によって決められた２つのＬ字形連結部材と連結用パイプとを用いて前記所定角度で斜めに連通させる場合の、前記連結用パイプの長さを計測するために用いられるものであり、前記第１の管および前記第２の管のいずれか一方の所定位置に合わせられる、２つの前記曲がり部の長さに対応して前記目盛りから離間された基準溝と、該スケールの長さ方向に対して垂直に延び、該スケールの長さ方向にスライド可能で、貫通孔を備えるガイド定規と、前記貫通孔を通して前記基準溝に挿入され、前記ガイド定規のスライドを抑止させるスライド抑止部材とを備える、請求項１に記載のスケール。
【請求項１１】
前記スケールは、前記角度に応じた複数の定規から構成される、請求項１〜１０のいずれか１項に記載のスケール。
【発明の詳細な説明】
【技術分野】
【０００１】
本発明は、第１直線の長さを計測するように配置して、第１直線に対して所定角度で延びる第２直線の長さの計測を可能にするスケールに関する。
【背景技術】
【０００２】
配管工事において、同一直線上にない筋違いとされた２つの配管を連通させるためには、エルボなどのＬ字形の連結部材と、連結用パイプとが使用される。エルボの曲がり部の長さは径によって決められているため、連結用パイプの長さは、２つの配管の芯間距離を計測し、それに角度に対応した係数を乗じ、上記２つのエルボの曲がり部の長さを差し引くことにより決定している。
【０００３】
特に、プラント建設工事および建築設備配管工事においては、限られた場所に、塔や槽、反応器などを設置し、それらの間に配管を配設するため、また、基礎および建造物を構築し、壁板間、屋根裏、床下といった狭い空間に配管を配設するため、同一直線上にない筋違いとされた２つの配管が多数存在し、それらの配管を連通させるための連結用パイプが多数必要とされる。連通用パイプは、連通させる２つの配管ごとにその長さが決定され、製作される。連結用パイプの長さは、２つの配管の芯間距離を計測し、上記のようにして計算することにより決定しており、この方法では、時間がかかるといった問題があった。
【０００４】
距離を計る定規と分度器を一体とし、収納および持ち運びを便利にした直線分度器定規が提案されている（特許文献１参照）。この定規は、距離目盛りについた定規本体の透明部に、穴を開け、２つの穴相互距離を２ｓｉｎ（角度／２）倍した直線角度目盛りをつけたことを特徴としている。しかしながら、この定規は、直線の長さと、直線上で角度の測定および角度の設定を行うことができるのみで、２つの直線の長さを１つの測定で得ることはできない。
【０００５】
また、筋違い等の斜線取りを簡単な作業で行うことができるようにするため、筋違い用定規が提案されている（特許文献２参照）。この定規は、縦尺と、縦尺にスライド可能に組み付けられ、縦尺と直交する方向へ配設された横尺と、縦尺に回動可能に組み付けられ、横尺に交差可能な斜尺とを備え、少なくとも縦尺、横尺には同一目盛り幅の目盛りを記し、斜尺には回動基端部に斜尺と直交して配設された角度尺を固定的に設けたことを特徴とするものである。この定規は、斜尺に記されている目盛りを、横尺、斜尺の合わせ点で読むことで、筋違いの長さを得ることができる。
【０００６】
しかしながら、この定規は、横尺、斜尺を位置合わせし、読みにくい斜尺に記されている目盛りを読む必要があり、計測操作が面倒である。配管は、４５°で連結されるのが一般的であり、この４５°の場合のみを計測できれば良いことが多い。したがって、簡単な計測で、任意の角度方向への距離、特に、４５°方向への距離を簡単に得ることができるスケールや装置が望まれている。
【特許文献１】特開平８−１４２５８８号公報
【特許文献２】特開平８−０６８６０１号公報
【発明の開示】
【発明が解決しようとする課題】
【０００７】
本発明は、上記問題に鑑み、第１直線の長さの計測で、第１直線に対して所定角度で延びる第２直線の長さを簡単に計測することができるスケールを提供することを目的とする。
【課題を解決するための手段】
【０００８】
上記課題は、本発明のスケールを提供することにより解決される。本発明の請求項１の発明によれば、第１直線の長さを計測するように配置して、前記第１直線の一端から該第１直線に対して少なくとも１つの所定角度で延びる第２直線の、前記第１直線の他端から該第１直線に垂直に延びる直線と交差する点までの長さの計測を可能にする目盛りを備えた、スケールが提供される。
【０００９】
本発明の請求項２の発明によれば、前記スケールは、該スケールの長さ方向に対して垂直に延び、該スケールの長さ方向にスライド可能なガイド定規を備える、スケールが提供される。
【００１０】
本発明の請求項３の発明によれば、前記スケールは、同一直線上にない第１の管および第２の管のそれぞれに当接させるための、反対方向に延びる２つの前記ガイド定規を備える、スケールが提供される。
【００１１】
本発明の請求項４の発明によれば、前記第１の管および前記第２の管は、鋼管であり、前記スケールは、一端を固定するための磁石を備える、スケールが提供される。
【００１２】
本発明の請求項５の発明によれば、前記スケールは、同一直線上にない第１の管と第２の管とを、曲がり部の長さが径によって決められた２つのＬ字形連結部材と連結用パイプとを用いて前記所定角度で斜めに連通させる場合の、前記連結用パイプの長さを計測するために用いられるものであり、前記第１の管および前記第２の管のいずれか一方の所定位置に合わせられる、２つの前記曲がり部の長さに対応して前記目盛りから離間された基準線をさらに備える、スケールが提供される。
【００１３】
本発明の請求項６の発明によれば、前記スケールは、複数の前記径に対応する複数の前記基準線を備える、スケールが提供される。
【００１４】
本発明の請求項７の発明によれば、前記スケールは、平面スケールまたは多面スケールであり、各面に、１つの前記径に対応する基準線と前記目盛りとを備える、スケールが提供される。
【００１５】
本発明の請求項８の発明によれば、前記スケールは、円筒形または楕円筒形スケールであり、周囲に、前記複数の径に対応する基準線と、複数の前記目盛りとを備える、スケールが提供される。
【００１６】
本発明の請求項９の発明によれば、前記スケールは、前記径に応じた複数の定規から構成され、前記径に応じて前記定規の幅が異なることを特徴とする、スケールが提供される。
【００１７】
本発明の請求項１０の発明によれば、前記スケールは、同一直線上にない第１の管と第２の管とを、曲がり部の長さが径によって決められた２つのＬ字形連結部材と連結用パイプとを用いて前記所定角度で斜めに連通させる場合の、前記連結用パイプの長さを計測するために用いられるものであり、前記第１の管および前記第２の管のいずれか一方の所定位置に合わせられる、２つの前記曲がり部の長さに対応して前記目盛りから離間された基準溝と、該スケールの長さ方向に対して垂直に延び、該スケールの長さ方向にスライド可能で、貫通孔を備えるガイド定規と、前記貫通孔を通して前記基準溝に挿入され、前記ガイド定規のスライドを抑止させるスライド抑止部材とを備える、スケールが提供される。
【００１８】
本発明の請求項１１の発明によれば、前記スケールは、前記角度に応じた複数の定規から構成される、スケールが提供される。
【発明の効果】
【００１９】
本発明のスケールを提供することにより、配管工事において、同一直線上にない筋違いとされた２つの管の芯間距離を計測することで、それらの管を連通させるために必要とされる連結用パイプの長さを簡単に得ることができる。多数の筋違い箇所がある配管工事において、各箇所における計測時間が大幅に短縮でき、これにより、工期を短縮することが可能となる。
【発明を実施するための最良の形態】
【００２０】
本発明を、以下に図面を参照して詳細に説明するが、本発明は、図面に開示される実施の形態に限定されるものではない。本発明のスケールを説明する前に、配管について図１を参照して説明する。図１には、同じ方向に向いて延びる第１の管１０と、第２の管１１とが示されている。しかしながら、第１の管１０と第２の管１１は、同一直線上にない筋違いとなっている。これらの管を連通させ、１つのラインを構築するため、Ｌ字形連結部材としてフランジ付きエルボ１２、１３がそれぞれに連結され、エルボ１２、１３間に、連結用パイプ１４が連結される。これにより、流体を、第１の管１０から、エルボ１２、連結用パイプ１４、エルボ１３を通して、第２の管１１へと、またはその逆方向へと流すことができる。一般に、この配管工事では、第１の管１０および第２の管１１がそれぞれ配設されており、第１の管１０の中心と第２の管１１の中心との間の芯間距離Ｌを、スケールを用いて計測し、その計測値からエルボ１２、１３間の距離を算出し、必要な長さの連結用パイプ１４を製作し、連結用パイプ１４を連結することによりラインを完成させている。なお、芯間距離Ｌは、第１の管１０の水平方向の一方に向いた管壁から、第２の管１１の同じ方向に向いた管壁までの距離と同じであり、現実には、この管壁から管壁までの距離を計測することにより、芯間距離Ｌを計測している。
【００２１】
エルボには、９０°エルボなど角度に応じたエルボがあるが、上記の場合、一般的に４５°エルボが使用される。エルボは、曲がり部の長さａ（エルボの中央からフランジが設けられている端部までの長さ）が、使用するエルボの径によって規格で決められている。エルボには、連結のために、図１に示すようにフランジが設けられたものや、ねじ溝が設けられたものなどがある。
【００２２】
従来の方法では、芯間距離Ｌを計測した後、電卓などを使用してエルボ１２、１３間の距離を算出している。この方法は、このような筋違い箇所が多数存在する工事では時間を要し、計算ミスなどにより材料の無駄を生じ、工期を長引かせる結果を招く。そこで、本発明のスケールを提供し、簡単に、上記距離を得ることができるようにする。
【００２３】
図２は、本発明のスケールの第１実施形態を示した図である。図２に示すスケール２０は、第１直線２１の長さを計測するように配置して、第１直線２１の一端から、第１直線２１に対して角度αで延びる第２直線２２の、第１直線２１の他端から第１直線２１に垂直に延びる直線と交差する点までの長さの計測を可能にする目盛り２３を備えている。
【００２４】
図２に示す実施の形態では、目盛り２３の目盛り幅は、１ｍｍ間隔で小目盛り、１０ｍｍ間隔で大目盛りを刻んだ一般に使用されるスケールの１／√２倍、すなわち０．７１倍とされ、０．７１ｍｍ間隔で小目盛り、７．１ｍｍ間隔で大目盛りを刻んだ目盛り２３とされている。なお、大目盛りに付けられる目盛り数値２４は、上記一般に使用されるスケールと同様、０、１０、２０、…のように付けられている。
【００２５】
スケール２０は、鋼製、プラスチック製、竹製、木製とすることができる。また、スケール２０は、必要な長さ、幅とすることができる。目盛り２３は、目盛り線を刻むか、インクなどで目盛り線を引くなどして、スケール２０に設けられる。目盛り２３の大目盛りに付けられる目盛り数値２４は、刻字するか、印字するなどして設けられる。この目盛り数値２４は、数字の縁のみを黒色のインクなどを使用して記し、夜間でも使用可能なように、その数値の内部を、蛍光塗料を使用して塗りつぶしたものとすることもできる。また、数字の縁のみを刻字し、その内部を蛍光塗料で塗りつぶしたものとすることもできる。
【００２６】
図２に示すスケール２０には、０〜１００までを表す目盛り２３が１つのみ設けられているが、本発明のスケールは、異なる目盛り幅を有する目盛りを両面のそれぞれに備えていてもよいし、片側の面に目盛りを複数備えていてもよい。また、角度は、４５°に限らず、３０°、６０°などいかなる角度であってもよい。なお、３０°であれば、上記一般に使用される定規の√３／２倍、すなわち０．８７倍、６０°であれば、上記一般に使用される定規の０．５倍とされる。この異なる角度に対応するため、スケール２０を、複数の定規から構成することもできる。この場合の各定規は、１つの角度に対応する目盛り２３を備えるものとすることができる。以下、角度を４５°として説明するが、本発明ではこれに限定されるものではない。
【００２７】
図３は、実際に本発明のスケールを使用して計測し、配管工事を行っているところを例示した図である。配管工事では、同一直線上にない筋違いの第１の管１０および第２の管１１はそれぞれ、余長をもった長さに切断されている。第１の管１０と第２の管１１とを接続する接続ユニットを製作するため、まず、図３（ａ）に示すように、スケール２０を、第１の管１０と第２の管１１との間の芯間距離を計測するように配置する。図３（ａ）に示すように、第２の管１１に当接させて配置すると、第１の管１０に当接せず、正確な長さを計測することができないため、ガイド棒３０を用いることができる。ガイド棒３０の一辺をスケール２０の目盛りの零点に合わせ、ガイド棒３０のその一辺を、第１の管１０の、第２の管１１に向いた管壁に位置合わせし、スケール２０を第２の管１１へと渡す。位置合わせされた第１の管１０の管壁が向く方向と同じ方向に向いた第２の管１１の管壁と、スケール２０の目盛りとが一致する目盛り数値を読むことにより、点ｂ、ｃで表される４５°方向への第１の管１０と第２の管１１との間の距離Ｌを計算することなく得ることができる。エルボ１２、１３の曲がり部の長さａは、上述したように、径によって規格で決められており、この長さａに２を乗じ（エルボが２つあるため）、上記２点間の距離Ｌから差し引くことにより、簡単に、第１の管１０と第２の管１１との間に連結されるべき連結用パイプ１４の長さを得ることができる。
【００２８】
次に、得られた長さの連結用パイプ１４を製作し、連結用パイプ１４の両端にエルボ１２、１３をそれぞれ連結し、エルボ１２、１３および連結用パイプ１４からなる接続ユニットを製作する。図３（ｂ）に示すように、第２の管１１に、フランジを取り付け、破線で示す第１の管１０の余長Ｙを切断し、フランジを取り付ける。最後に、フランジが取り付けられた第１の管１０と、フランジが取り付けられた第２の管１１との間に、接続ユニットを配置し、接続ユニットを第１の管１０および第２の管１１に、ボルトおよびナットを使用して連結する。これにより、図１に示すような、筋違いの第１の管１０と第２の管１１とを接続ユニットで連結したラインを完成する。余長Ｙは、接続ユニットを第２の管１１に連結し、第１の管１０に押し当てることにより、接続ユニットの連結に不要な管長さとして決定される。
【００２９】
図４は、本発明のスケールの第２実施形態を示した図である。図４に示すスケール４０は、図２に示す目盛り２３を備え、さらに、スケール４０の長さ方向に対して垂直に延び、スケール４０の長さ方向にスライド可能なガイド定規４１を備えている。図４に示すガイド定規４１は、スケール本体４２の長さ方向に対して垂直に延びるガイド棒４３と、スケール本体４２を挿通させる２つの穴４４とガイド棒４３を挿嵌させる挿嵌孔４５と目盛りを読むための窓４６とを備え、スケール本体４２をその長さ方向にスライド可能にさせる滑動部材４７と、滑動部材４７に設けられるねじ切りされた穴に螺合され、スケール本体４２に当接して滑動部材４７のスライドを抑止させるねじ４８とを含む構成とされている。
【００３０】
ガイド棒４３は、末端４３ａが滑動部材４７に収容されており、このガイド棒４３の先端４３ｂを、例えば、第１の管１０の上記水平方向の一方に向いた管壁に位置合わせし、窓４６を通して確認しながら、先端４３ｂの一辺に連続する末端４３ａの一辺に目盛りの零点を合わせ、ねじ４８でスライドを抑止させ、第２の管１１に渡すように配置される。第２の管１１の、第１の管１０と同じ方向に向いた管壁の位置に合った目盛りを読むことにより、４５°方向の第１の管１０の上記管壁から第２の管１１の上記管壁までの長さを得ることができる。上述したように、第１の管１０および第２の管１１に連結されるエルボ１２、１３のそれぞれの曲がり部の長さａは、エルボの径によって決められていることから、上記管壁間の長さから２つのエルボの曲がり部の長さを差し引くことにより、連結用パイプの長さを得ることができる。
【００３１】
本発明においてガイド定規４１は、目盛りの零点を合わせるために使用することに限られるものではなく、上記管壁間の距離を計測するためにガイド定規４１を使用することもできる。
【００３２】
図５は、本発明のスケールの第３実施形態を示した図である。図５に示すスケール５０は、図４に示すガイド定規４１が２つ設けられており、その２つのガイド定規５１、５２が互いに反対方向に延びるように設けられている。このスケール５０は、一方のガイド定規５１を、目盛りの零点を合わせるために使用し、他方のガイド定規５２を、目盛りを読み取るために使用することができる。配管工事において、図１および図３に示すような筋違いとされた２つの配管は、それらの長さ方向に対して垂直となる方向から見て、重なり合った部分がないように、少ない余長をもって切断される。このような、２つの配管が、長さ方向にも、その長さ方向に対して垂直となる垂直方向にも離間している場合の、４５°方向への長さを計測するために、図５に示すスケール５０を採用することができる。
【００３３】
図４および図５に示す実施形態では、ガイド棒と滑動部材とが別個のものとされているが、一体形成されていてもよい。ガイド定規は、必要に応じて必要な長さのものとすることもできるし、複数の長さものとして構成し、必要に応じて付けかえて使用することもできる。滑動部材は、スケール本体をスライドさせることができればいかなる構造であってもよい。滑動部材のスライドは、ねじを設けず、手で抑止してもよい。また、ねじおよびねじ穴は、スケール本体のいかなる面に当接するように設けられていてもよい。ガイド定規は、スケール本体と同様、鋼製、プラスチック製、竹製、木製のものとすることができる。
【００３４】
図６は、本発明のスケールの第４実施形態を示した図である。図６に示すスケール６０は、図２に示す目盛り２３および目盛り数値２４のほか、一端を固定するための磁石６１を備えている。この磁石６１は、図１および図３に示す第１の管１０および第２の管１１が鋼管である場合に、いずれかの管に着けて一端を固定することを可能にし、スケール６０における計測を容易にする。本発明において磁石６１は、一端を固定することができるものであればいかなる大きさ、形状であってもよい。また、硬質塩化ビニル管などのプラスチック管が使用される場合には、磁石６１に代えて、粘着テープなどを使用して一時的に固定することができる。また、スケール６０を鋼材から作製する場合、単に、磁石６１を着けた構成であってもよく、この場合、２つの磁石６１を着けた構成とし、１つの磁石を、第１の管とスケールの一端とを着けるために使用し、もう１つの磁石を、第２の管とスケールの他端とを着けるために使用することができる。
【００３５】
図７は、本発明のスケールの第５実施形態を示した図である。図７に示すスケール７０は、図１および図３に示すような同一直線上にない第１の管１０と第２の管１１とを、曲がり部の長さａが径によって決められた２つのエルボ１２、１３と連結用パイプ１４とを用いて角度４５°で斜めに連通させる場合の、連結用パイプ１４の長さを得るために使用される。図７に示すスケール７０は、目盛り７１および目盛り７１に付けられる目盛り数値７２に加え、２つの曲がり部の長さａに対応して目盛り７１から離間された基準線７３を備えている。
【００３６】
目盛り７１および目盛り数値７２は、スケール７０に向かって右側に設けられ、基準線７３は、目盛り７１から離間して左側に設けられている。基準線７３は、目盛り７１と同様、刻むか、インクなどで線を引くなどして設けられる。本発明では、基準線７３がエルボの径に対応するため、基準線７３の周囲のいずれかの位置に、径サイズをインチで示した「３／４」などのように刻字または印字することができる。基準線７３は、目盛り７１の目盛り数値７２が０を示す位置から、２つの曲がり部の長さａに対応する長さほど離間して設けられる。具体的には、２つの曲がり部の長さａに０．７１を乗じて得た長さほど離間して設けられる。これにより、基準線７３を一方の管の、例えば上記管壁に位置合わせし、他方の管の上記管壁に合った目盛り７１を読むことで、直接、図１および図３に示す連結用パイプ１４の長さを得ることができる。図７に示すスケール７０を使用することにより、曲がり部の長さａを差し引く計算をしなくて済み、より簡単に連結用パイプ１４の長さを得ることができる。なお、この図７を含め、以降、図面に基準線を示すが、この基準線は例示的に示したものであり、図面に示した基準線の目盛りからの距離は、２つのエルボの曲がり部の長さに対応した長さにはなっていない。
【００３７】
図８は、本発明のスケールの第６実施形態を示した図である。図８に示すスケール８０は、図７に示すスケール７０と同様の、目盛り８１、目盛り数値８２、基準線８３を備える構成であるが、基準線８３が、エルボの径に対応して複数設けられている。エルボの曲がり部の長さａは、上述したようにエルボの径によって決められており、径が大きくなるにつれてその長さａも長くなる。配管工事では、異なる複数の径の管が使用され、管同士を接続するために使用されるエルボも、複数の径のものが使用される。したがって、スケールも、複数の径に対応できるものが好ましい。図８に示すスケール８０は、このような複数の径に対応可能なものである。
【００３８】
複数の基準線８３は、エルボの径が大きくなるにつれて目盛り８１から離れて設けられる。また、それぞれの基準線８３の周囲の所定位置には、径を示す文字８４が刻字または印字されている。図８に示す実施形態では、目盛り８１に近隣するものから順に、「３／４」、「１」、「１−１／２」、「２」、「２−１／２」、「４」の文字８４を記した基準線８３が設けられている。文字８４を、インチを表す数値で示しているが、小数表示であってもよい。
【００３９】
図９は、本発明のスケールの第７実施形態を示した図である。図９（ａ）に一方の側から見たスケールを、図９（ｂ）にその裏側となる他方の側から見たスケールをそれぞれ示す。図９（ａ）、（ｂ）に示すスケール９０は、目盛り９１とスライド溝９２とを備えるスケール本体９３と、１つの共通零点９４と各エルボの径に対応する基準零点９５とを備え、スライド溝９２に嵌合するスライド定規９６とから構成されている。図９（ａ）、（ｂ）に示すスケール９０は、スケール本体９３の一方の面に目盛り９１が設けられ、その裏面となる他方の面にスライド溝９２が設けられている。目盛り９１は、図２に示す目盛り２３と同様のものとされ、スライド溝９２は、所定間隔で離間して設けられた２つのスライドレール９２ａ、９２ｂと、スライド定規９６のスライドを停止させるストッパ９２ｃとから構成されている。なお、共通零点９４および基準零点９５は、各エルボの径に対応する基準線を構成するものであり、スライド定規９６上の線として表されている。
【００４０】
また、スライド定規９６は、スケール本体９３の長さ方向にスライド可能とされ、目盛り数値０を示す目盛り９１と、各エルボの径に対応する基準零点９５とを位置合わせすることにより、共通零点９４を、そのエルボの径に対応する基準線として計測することができる。
【００４１】
図９（ａ）、（ｂ）に示す実施の形態では、図９（ａ）に示すスライド定規９６の一方の面、すなわちスケール本体９３と同じ方向に向いた面に共通零点９４が設けられていて、その裏面となる図９（ｂ）に示す他方の面に各エルボの径に対応する基準零点９５が設けられており、また、スライドレール９２ａ、９２ｂに目盛り数値０を示す目盛り線９７が設けられており、上記目盛り９１の代わりに目盛り線９７と、基準零点９５とを位置合わせすることができるようになっている。
【００４２】
本発明においてスライド溝９２は、スライド定規９６の末端を収容するように、開口を備えた構造とすることもでき、この場合、開口を上記目盛り数値０の位置に合うように形成し、この開口とスライド定規９６の基準零点９５とを位置合わせすることができる。また、スライド定規９６の同じ面に、共通零点９４と各エルボの径に対応する基準零点９５とを設け、スケール本体９３の目盛り数値０を示す目盛り９１に近隣して窓を設けた構成とし、その目盛り数値０を示す目盛り９１と、窓を通して表示される基準零点９５とを位置合わせすることもできる。さらに、本発明では、スライド定規９６のスライドを抑止させるためのスライドロック機構を備えることもできる。このスライドロック機構としては、例えば、スケール本体９３を貫通し、スライド定規９６に延びるねじ穴と、そのねじ穴に通されるねじとから構成し、ねじをねじ穴に通し、スライド定規９６に当接させることにより、スライドを抑止させることができる。また、スライドレール９２ａ、９２ｂに嵌合溝を設け、スライド定規９６の各基準零点９５に対応する位置に、その嵌合溝に嵌合する突起を設けた構成にすることもできる。本発明では、図１および図３に示す第１の管１０および第２の管１１が鋼管である場合、スライド溝９２に嵌合されないスライド定規９６の先端側に、図６に示す磁石６１を設けることができる。
【００４３】
図１０は、本発明のスケールの第８実施形態を示した図である。図１０に示すスケール１００は、多面スケールとされている。図１０に示す実施形態では、スケール１００は、六面スケールとされ、６つの平面を備えている。スケール１００の６つの平面の各々には、基準線と、目盛りと、目盛り数値とが設けられている。
【００４４】
例えば、１つの平面１０１ａには、エルボの径「３／４」に対応する基準線１０２ａと、目盛り１０３ａとが設けられ、その１つの平面１０１ａの隣の平面１０１ｂには、エルボの径「１」に対応する基準線１０２ｂと、目盛り１０３ｂとが設けられ、さらに隣の図示しない平面には、径「１−１／２」に対応する基準線、目盛りが、その隣の平面には、径「２」に対応する基準線、目盛りが、というように異なる径に対応する基準線と、同じ目盛り幅の目盛りとが設けられる。エルボの径に応じて平面を選択し、基準線を位置合わせし、目盛りを読むことにより、位置合わせにおいて基準線を間違えることがなく、簡単に計測することができる。この場合も、基準線の周囲の所定位置に、エルボの径を表す文字が設けられる。
【００４５】
図１１は、本発明のスケールの第９実施形態を示した図である。図１１に示すスケール１１０は、円筒形スケールとされている。図１１に示す実施形態では、スケール１１０は、周囲に、複数の基準線１１１と、複数の目盛り１１２とが設けられている。複数の基準線１１１は、複数のエルボの径に対応しており、スケール１１０に向かって左側に基準線１１１が設けられ、右側に目盛り１１２が設けられている。
【００４６】
１つの基準線１１１と、目盛り１１２とが対となっていて、その対が、円筒スケールの周囲にわたって、所定間隔で設けられている。基準線１１１に近隣した所定位置には、基準線１１１がどの径に対応するものであるかを示す文字１１３が設けられている。図１１に示すスケール１１０を使用して計測する場合、管の径から、使用するエルボの径を得、その径から、文字１１３を基に、上記対を選択する。選択した対に含まれる基準線１１１を位置合わせし、目盛り１１２を読むことにより、連結用パイプの長さを得ることができる。
【００４７】
図１２は、本発明のスケールの第１０実施形態を示した図である。図１２に示すスケール１２０は、複数の定規１２１から構成される。各定規１２１は、互いに異なる１つの基準線１２２と、目盛り１２３とを備える。スケールを使用して長さまたは距離を計測する場合には、エルボの径によって使用する定規が異なるため、複数の定規の中からエルボの径を基に選択しなければならない。図８、図１０および図１１に示すスケールでは、基準線の周囲の所定位置に設けられる文字によって識別でき、使用すべき基準線および目盛りが選択される。図１２に示す実施形態では、より簡単に識別できるように、エルボの径に対応する定規１２１の幅を変えている。
【００４８】
具体的には、エルボの径「３／４」に対しては平面定規の幅を１０ｍｍ、径「１」に対しては１５ｍｍ、径「１−１／２」に対しては２０ｍｍといったように変えることができる。幅の相違を明確にするために、定規の幅は、互いに５ｍｍ以上異なることが好ましい。また、各定規１２１の縁部に穴１２４を設け、穴１２４にリング１２５を通すことにより、これら定規１２１を１組のスケールとして持ち運ぶことができる。
【００４９】
これまで連結用パイプの長さを計測するために、基準線を備えるものとして説明してきたが、本発明では基準線に限られるものではなく、例えば、図１３に示すように、基準溝を備える構成にすることもできる。図１３は、本発明のスケールのさらに別の実施形態を示した図である。図１３に示すスケール１３０は、図４に示すガイド定規４１と同様の、ガイド定規１３１を備えているが、図７および図８に示す基準線７３、８３に代えて、スケール本体１３２に基準溝１３３を備え、ガイド定規１３１に貫通孔１３４が設けられ、図４に示すねじ４８に代えて、基準溝１３３に挿入してガイド定規１３１のスライドを抑止させるスライド抑止部材１３５を備える構成とされている。
【００５０】
基準溝１３３は、図１３に示す実施の形態では円形で、スケール本体１３２の厚さの約半分の深さを有する溝とされているが、矩形などいかなる形状および深さの溝であってもよい。貫通孔１３４は、基準溝１３３と同じ形状とされ、スライド抑止部材１３５は、貫通孔１３４を通して基準溝１３３に挿入することができ、かつガイド定規１３１がスライドしないように抑止させることができるよう、同じ形状とされ、基準溝１３３に挿嵌する大きさとされる。
【００５１】
図１３に示すスケール１３０を使用して計測する場合、まず、エルボの径に対応する基準溝１３３と、ガイド定規１３１に設けられた貫通孔１３４とを位置合わせし、スライド抑止部材１３５を、貫通孔１３４を通して基準溝１３３に差し込み、挿嵌する。これにより、基準溝１３３の位置でガイド定規１３１のスライドを抑止させることができる。ガイド定規１３１を一方の管の所定方向に向く管壁に位置合わせし、他方の管にスケール本体１３２を渡すように配置する。他方の管の、上記方向と同じ方向に向いた管壁に合った目盛りを読み、４５°方向への長さを計測する。
【００５２】
これまで、本発明のスケールを、図面を参照して詳細に説明してきたが、本発明は、上記実施形態に限定されるものではなく、例えば、スケールを、巻き尺によって構成し、その巻き尺の両面に目盛りを設け、一方の面にエルボのある径に対応する基準線と目盛りとを、他方の面に別の径に対応する基準線と目盛りとを設けることもできる。また、巻き尺の先端に、上記スライド定規を設けた構成にすることもできる。平面スケールは、図２に示すスケールのほか、三角スケール、四角スケールなどとし、各辺に目盛り、基準線を設けることもできる。
【図面の簡単な説明】
【００５３】
【図１】配管を例示した図。
【図２】本発明のスケールの第１実施形態を示した図。
【図３】図２に示すスケールの使用例を示した図。
【図４】本発明のスケールの第２実施形態を示した図。
【図５】本発明のスケールの第３実施形態を示した図。
【図６】本発明のスケールの第４実施形態を示した図。
【図７】本発明のスケールの第５実施形態を示した図。
【図８】本発明のスケールの第６実施形態を示した図。
【図９】本発明のスケールの第７実施形態を示した図。
【図１０】本発明のスケールの第８実施形態を示した図。
【図１１】本発明のスケールの第９実施形態を示した図。
【図１２】本発明のスケールの第１０実施形態を示した図。
【図１３】本発明のスケールのさらに別の実施形態を示した図。
【符号の説明】
【００５４】
１０…第１の管
１１…第２の管
１２、１３…エルボ
１４…連結用パイプ
２０、４０、５０，６０、７０、８０、９０、１００、１１０、１２０、１３０…スケール
２１…第１直線
２２…第２直線
２３、７１、８１、９１、１０３ａ、１０３ｂ、１１２、１２３…目盛り
２４、７２、８２…目盛り数値
３０、４３…ガイド棒
４１、５１、５２、１３１…ガイド定規
４２、９３、１３２…スケール本体
４３ａ…末端
４３ｂ…先端
４４、１２４…穴
４５…挿嵌孔
４６…窓
４７…滑動部材
４８…ねじ
６１…磁石
７３、８３、１０２ａ、１０２ｂ、１１１、１２２…基準線
８４、１１３…文字
９２…スライド溝
９２ａ、９２ｂ…スライドレール
９２ｃ…ストッパ
９４…共通零点
９５…基準零点
９６…スライド定規
９７…目盛り線
１０１ａ、１０１ｂ…平面
１２１…定規
１２５…リング
１３３…基準溝
１３４…貫通孔
１３５…スライド抑止部材
ａ…曲がり部の長さ
Ｌ…距離
Ｙ…余長
【図１】
2006292573.tif 000003
【図２】
2006292573.tif 000004
【図３】
2006292573.tif 000005
【図４】
2006292573.tif 000006
【図５】
2006292573.tif 000007
【図６】
2006292573.tif 000008
【図７】
2006292573.tif 000009
【図８】
2006292573.tif 000010
【図９】
2006292573.tif 000011
【図１０】
2006292573.tif 000012
【図１１】
2006292573.tif 000013
【図１２】
2006292573.tif 000014
【図１３】
2006292573.tif 000015